(57)【要約】  本願は、カメラおよび端末を提供する。カメラおよび表示パネルと端末の同じ側に配置され、カメラは、レンズバレルと、カメラの光軸の方向に積層方式でレンズバレル内に配置された複数のレンズとを含み、レンズバレルが第１のセグメントを含み、第１のセグメントに含まれるレンズが第１のレンズであり、第１のレンズが、入光面、出光面、および入光面と出光面との間に接続される側面を含み、側面が、接続されている第１の面および第２の面を含み、第１の面と光軸との間の垂直距離が、第２の面と光軸との間の垂直距離よりも小さく、第１のセグメントの形状が第１のレンズの形状と一致し、第１の面と協働する第１のセグメントの一部分が表示パネルに隣接して配置されている。前述の配置によって、カメラのサイズをさらに圧縮し、カメラの占有空間を低減するために、第１のセグメントの、第１の面に対応する位置における表示パネルが光軸により近接して配置され得る。
2022501631.tif 000002
【特許請求の範囲】
【請求項１】
端末上で表示パネルと同じ側に配置されたカメラであって、前記カメラが、レンズバレルと、前記カメラの光軸の方向に積層方式で前記レンズバレル内に配置された複数のレンズとを備え、前記レンズバレルが、前記光軸の前記方向で互いに配列されて接続されている第１のセグメントおよび第２のセグメントを含み、前記第１のセグメント内に含まれるレンズが第１のレンズであり、前記第１のレンズが、入光面、出光面、および前記入光面と前記出光面との間に接続される側面を含み、前記側面が、接続されている第１の面および第２の面を含み、前記第１の面と前記光軸との間の垂直距離が、前記第２の面と前記光軸との間の垂直距離よりも小さく、前記第１のセグメントの形状が前記第１のレンズの形状と一致し、前記第１の面と協働する前記第１のセグメントの一部分が前記表示パネルに隣接して配置され、前記第２のセグメントの一部分が、前記表示パネルの縁部と積層方式で配置されている、カメラ。
【請求項２】
前記第１のレンズが、光学効果領域と、前記光学効果領域の周囲に配置された非光学効果領域とを含み、前記第１の面と前記光軸との間の前記垂直距離が前記光学効果領域の半径よりも大きいまたはそれと等しい、請求項１に記載のカメラ。
【請求項３】
２つ以上の第１のレンズが存在し、すべての前記第１のレンズの前記第１の面が互いに同じ高さで同一平面にある、請求項２に記載のカメラ。
【請求項４】
前記側面が第３の面をさらに含み、前記第３の面が前記第１の面に対向して配置され、前記第２の面が前記第３の面と前記第１の面との間に接続され、前記第３の面と前記光軸との間の垂直距離が、前記第２の面と前記光軸との間の垂直距離よりも小さい、請求項３に記載のカメラ。
【請求項５】
前記第１の面および前記第３の面が前記光軸において対称的に配置されている、請求項４に記載のカメラ。
【請求項６】
前記第１のセグメントの内壁に第１の遮光フィルムが配置され、前記第１の遮光フィルムが、前記第１のレンズの前記第１の面および／または第３の面に隣接して配置されている、請求項１に記載のカメラ。
【請求項７】
すべての前記第１のレンズの前記第１の面および／または第３の面に第２の遮光フィルムが配置されている、請求項１に記載のカメラ。
【請求項８】
すべての前記第１のレンズの前記第１の面および／または第３の面の表面粗さが、前記第２の面の表面粗さよりも高い、請求項１に記載のカメラ。
【請求項９】
前記第１の面および／または第３の面に対向する、前記第１のセグメントの位置が可撓性材料で作製され、前記第２の面に対向する前記第１のセグメントの位置が剛性材料で作製され、前記可撓性材料が弾性である、請求項１に記載のカメラ。
【請求項１０】
前記第１のセグメントの前記可撓性材料に緩衝材がさらに配置されている、請求項９に記載のカメラ。
【請求項１１】
前記第１のセグメントと前記第２のセグメントとの間の接続部が段差面を形成し、前記段差面が、前記表示パネルを位置付けるように構成されている、請求項１に記載のカメラ。
【請求項１２】
表示パネルと、中間フレームと、カメラとを備える端末であって、前記表示パネルが前記中間フレームによって囲まれた空間に配置され、前記カメラおよび前記表示パネルが同じ側に配置され、前記カメラのレンズバレルの第１のセグメントが前記表示パネルに隣接して配置され、前記カメラが、レンズバレルと、前記カメラの光軸の方向に積層方式で前記レンズバレル内に配置された複数のレンズとを備え、前記レンズバレルが、前記光軸の前記方向で互いに配列されて接続されている第１のセグメントおよび第２のセグメントを含み、前記第１のセグメント内に含まれるレンズが第１のレンズであり、前記第１のレンズが、入光面、出光面、および前記入光面と前記出光面との間に接続される側面を含み、前記側面が、接続されている第１の面および第２の面を含み、前記第１の面と前記光軸との間の垂直距離が、前記第２の面と前記光軸との間の垂直距離よりも小さく、前記第１のセグメントの形状が前記第１のレンズの形状と一致し、前記第１の面と協働する前記第１のセグメントの一部分が前記表示パネルに隣接して配置され、前記第２のセグメントの一部分が、前記表示パネルの縁部と積層方式で配置されている、端末。
【請求項１３】
前記カメラの前記レンズバレルの第２のセグメントが前記中間フレームに隣接して配置され、前記第１のセグメントと前記中間フレームとの間に第１の間隙が存在する、請求項１２に記載の端末。
【請求項１４】
前記第１の間隙にフィラーが配置され、前記フィラーが、前記第１のセグメントを支持するように構成されている、請求項１３に記載の端末。
【請求項１５】
前記中間フレームにばねが配置され、前記ばねが、前記第１のセグメントに対して当接している、請求項１３に記載の端末。
【発明の詳細な説明】
【技術分野】
【０００１】
本願は、端末のカメラ技術の分野に関し、特に、カメラおよび端末に関する。
【背景技術】
【０００２】
狭額およびベゼルレス画面の構造設計における、スマートフォンなどの端末の発展に伴い、正面カメラは控えめである必要があり、正面カメラによって占有される空間は極力圧縮される必要がある。したがって、カメラのより小さい構造サイズが極力必要とされている。
【０００３】
カメラのサイズの縮小される設計では、カメラ自体のサイズ低減に加えて、ベンダは、レンズバレルの壁厚およびレンズの直径などを縮小して、ある程度のサイズ縮小効果を達成することを提案する。本願は、占有空間を縮小するためにカメラのサイズをさらに圧縮することに注力する。
【発明の概要】
【０００４】
前述の技術的問題を解決するために、本願はカメラおよび端末を提供する。カメラは小さいサイズを有し、占有空間を縮小することができる。
【０００５】
第１の態様によれば、カメラが提供される。カメラおよび表示パネルは、端末の同じ側に配置される。カメラは、レンズバレルと、カメラの光軸の方向に積層方式でレンズバレル内に配置された複数のレンズとを含み、レンズバレルは、光軸の方向で互いに配列されて接続されている第１のセグメントおよび第２のセグメントを含み、第１のセグメント内に含まれるレンズは第１のレンズであり、第１のレンズは、入光面、出光面、および入光面と出光面との間に接続される側面を含み、側面が、接続されている第１の面および第２の面を含み、第１の面と光軸との間の垂直距離は、第２の面と光軸との間の垂直距離よりも小さく、第１のセグメントの形状は第１のレンズの形状と一致し、第１の面と協働する第１のセグメントの一部分は表示パネルに隣接して配置され、第２のセグメントの一部分は、表示パネルの縁部と積層方式で配置されている。
【０００６】
第１のレンズの構造が不完全な円となるように、レンズバレルの第１のセグメント内の第１のレンズの第１の面と光軸との間の垂直距離は、第２の面と光軸との間の垂直距離よりも小さくなるように設定されている。第１のセグメントの形状が第１のレンズの形状と一致するため、第１のセグメントの、第１の面に対応する位置の表示パネルは、光軸により近接して配置され得る。このようにして、カメラのサイズがさらに縮小され、カメラの占有空間が縮小される。
【０００７】
第１のレンズは、光学効果領域と、光学効果領域の周囲に配置された非光学効果領域とを含み、第１の面と光軸との間の垂直距離は光学効果領域の半径よりも大きいまたはそれと等しい。本実施形態における第１のレンズに配置された第１の面は、非光学効果領域内に位置する。非光学効果領域は撮像に関与せず、撮像のための光学効果領域の位置を占有しない。これにより、光の屈折路が完全であり、撮像が影響を受けないことを保証することができる。
【０００８】
２つ以上の第１のレンズが存在し、すべての第１のレンズの第１の面が互いに同じ高さで同一平面にある。２つ以上の第１のレンズが配置され、すべての第１のレンズが互いに同じ高さで同一平面にある。したがって、第１のセグメントが表示パネルに隣接してまたはさらには近接して配置されるように、第１のレンズと一致するレンズバレルの第１のセグメントの第１の表面は完全な表面である。
【０００９】
第１のレンズの第１の面は光軸に対して平行である。このようにして、表示パネルの端面は、カメラの占有空間を縮小することをさらに助けるために、第１のセグメントの第１の表面全体に隣接してまたはさらには近接して配置され得る。
【００１０】
第１のレンズの第１の面と光軸との間には挟角があり、挟角の範囲は、カメラの製造および組立を容易にするように１°〜１０°である。
【００１１】
側面は第３の面をさらに含み、第３の面は第１の面に対向して配置され、第２の面は第３の面と第１の面との間に接続され、第３の面と光軸との間の垂直距離は、第２の面と光軸との間の垂直距離よりも小さい。第３の面は第１の面に対向して配置され、第３の面もまた第１の面と同様である。レンズバレルの第１のセグメントの第３の面と一致する第３の表面と光軸との間の垂直距離が第２の表面と光軸との間の垂直距離よりも小さくなるように、第３の面と光軸との間の垂直距離は第２の面と光軸との間の垂直距離よりも小さい。カメラのサイズをさらに圧縮して、占有空間を縮小し表示パネルのサイズを拡大することができるように、カメラが端末に組み立てられるとき、第３の表面は中間フレームに隣接してまたはさらには近接して配置される。
【００１２】
第１の面および／または第３の面は、平面または弧面である。
【００１３】
第１の面および第３の面は、光軸において対称的に配置されている。製造を容易にするために、第１の面の形状および第３の面の形状が同じであり、第１の面と光軸との間の垂直距離および第３の面と光軸との間の垂直距離が同じであるように、第１の面および第３の面は光軸において対称的に配置されている。
【００１４】
第１のセグメントの内壁に第１の遮光フィルムが配置され、第１の遮光フィルムは、第１のレンズの第１の面および／または第３の面に隣接して配置されている。第１の遮光フィルムは第１のセグメントの内壁に配置され、第１の遮光フィルムは遮光して、第１の面および／または第３の面上の光学効果領域上の非光学効果領域における光の影響を低減し、光撮像効果を改善することができる。
【００１５】
すべての第１のレンズの第１の面および／または第３の面に第２の遮光フィルムが配置さている。第１のレンズに配置された第２の遮光フィルムの機能は、第１の遮光フィルムが第１のセグメントの内壁に配置されている前述の実施形態のものと同様である。第２の遮光フィルムは第１のレンズ上にのみ製造する必要があるので第２の遮光フィルムの数を低減してコストを削減することができるという点で異なっている。
【００１６】
すべての第１のレンズの第１の面および／または第３の面の表面粗さは、第２の面の表面粗さよりも高い。遮光効果を達成するために、第１のレンズの第１の面および／または第３の面の表面粗さは、第２の面の表面粗さよりも高く配置されている。
【００１７】
第１のセグメントは二種材料射出成形プロセスを使用することにより作製され、第１の面および／または第３の面に対向する第１のセグメントの位置は可撓性材料で作製され、第２の面に対向する第１のセグメントの位置は剛性材料で作製され、可撓性材料は弾性である。この実施形態では、カメラの占有空間がさらに縮小され得る。
【００１８】
第１のセグメントの可撓性材料に緩衝材がさらに配置されている。端末が落下すると、端末の落下の効果を緩衝材が軽減して、カメラが表示パネルまたは中間フレームと衝突して損傷を引き起こすことを防止する。
【００１９】
第１のセグメントと第２のセグメントとの間の接続部は段差面を形成し、段差面は表示パネルを位置付けるように構成されている。
【００２０】
レンズバレル内には５つのレンズが含まれ、第１のセグメント内には２つまたは３つの第１のレンズが含まれる。代替的には、レンズバレル内には６つのレンズが含まれ、第１のセグメント内には２つまたは３つの第１のレンズが含まれる。代替的には、レンズバレル内には７つのレンズが含まれ、第１のセグメント内には３つまたは４つの第１のレンズが含まれる。
【００２１】
第２の態様によれば、本願の一実施形態は、表示パネルと、中間フレーム、と、第１の態様の実施形態のうちのいずれか１つによるカメラとを含む端末をさらに提供する。表示パネルは、中間フレームによって囲まれた空間内に配置される。カメラおよび表示パネルは同じ側に配置され、カメラのレンズバレルの第１のセグメントは、表示パネルに隣接して配置される。
【００２２】
表示パネルは、レンズバレルの第１のセグメントに隣接して配置される。第１のセグメントは第１のレンズの形状と一致し、第１のレンズの第１の面と光軸との間の垂直距離は第２の面と光軸との間の垂直距離よりも小さいため、カメラの第１のセグメントのサイズが縮小され、表示パネルは中間フレームにより近接して配置され得る。このようにして、端末上での表示パネルの面積占有率が高まり、狭額およびベゼルレス画面の構造設計の実装が容易になる。
【００２３】
カメラのレンズバレルの第２のセグメントは中間フレームに隣接して配置され、第１のセグメントと中間フレームとの間に第１の間隙が存在する。第２のセグメントは中間フレームに隣接してまたはさらには近接して配置され、その結果、カメラ全体が中間フレームにより近接し、表示パネルは中間フレームにより近接して配置され得る。これにより、表示パネルの画面対本体比の改善が助けられる。
【００２４】
第１の間隙にフィラーが配置され、フィラーは、第１のセグメントを支持するように構成されている。フィラーは、第１のセグメントが予め設定された位置に保たれるように、第１のセグメントを支持するように配置され得る。加えて、フィラーは緩衝機能をさらに有し得る。端末が落下すると、強い衝撃を回避し、カメラの損傷を回避するために、第１のセグメントがフィラーによって支持される。
【００２５】
中間フレームにばねが配置され、ばねは、第１のセグメントに対して当接している。ばねもまた第１のセグメントを支持するように構成され得る。端末が落下すると、第１のセグメントに対する端末の落下の効果を軽減するために、ばねは弾性的に変形する。加えて、ばねはさらに電気接続機能を提供し得る。具体的には、ばねは、画像センサがカメラ上の静電気の蓄積により影響されることを防止するために、カメラ上の静電気を中間フレームに接続して静電気を除去し得る。
【図面の簡単な説明】
【００２６】
【図１ａ】従来技術における既存のカメラおよび既存の表示パネルの構造の概略図である。
【００２７】
【図１ｂ】既存の端末の構造の概略図である。
【００２８】
【図１ｃ】一実施形態によるカメラおよび表示パネルの構造の概略図である。
【００２９】
【図１ｄ】一実施形態による端末の構造の概略図である。
【００３０】
【図１ｅ】一実施形態による第１のレンズの構造の概略図である。
【００３１】
【図２ａ】一実施形態によるカメラの断面図構造の概略図である。
【００３２】
【図２ｂ】一実施形態による第１のレンズの断面図構造の概略図である。
【００３３】
【図２ｃ】一実施形態による複数のレンズの構造の概略図である。
【００３４】
【図２ｄ】図２ｃの複数のレンズがレンズバレル内に配置されている構造の概略図である。
【００３５】
【図２ｅ】別の実施形態による複数のレンズの構造の概略図である。
【００３６】
【図２ｆ】一実施形態による第１のセグメント内の第１のレンズの断面図構造の概略図である。
【００３７】
【図２ｇ】別の実施形態による第１のセグメント内の第１のレンズの断面図構造の概略図である。
【００３８】
【図３ａ】別の実施形態による複数のレンズの構造の概略図である。
【００３９】
【図３ｂ】図３ａの複数のレンズがレンズバレル内に配置されている構造の概略図である。
【００４０】
【図４ａ】一実施形態によるカメラの断面図構造の概略図である。
【００４１】
【図４ｂ】一実施形態による第１のセグメント内の第１のレンズの断面図構造の概略図である。
【００４２】
【図４ｃ】一実施形態によるカメラの断面図構造の概略図である。
【００４３】
【図５】一実施形態による機械加工の前後のカメラの第１のセグメントの構造の概略図である。
【００４４】
【図６ａ】一実施形態による端末の断面図構造の概略図である。
【００４５】
【図６ｂ】図６ａのＢ領域の部分的な断面構造の概略図である。
【００４６】
【図６ｃ】図６ｂの一実施形態の構造の概略図である。
【００４７】
【図６ｄ】図６ｂの別の実施形態の構造の概略図である。
【発明を実施するための形態】
【００４８】
本願の実施形態の目的、技術的解決手段、および利点をより明らかにするために、出願人はまずいくつかの用語を定義して以下の説明を容易にする。「積層」または「積層構成」は、２つ以上の要素（または層構造）が重なった方式で配列されている位置関係を意味する。具体的には、要素のうちの１つは基準面として使用され、基準面への他の要素の正投影は要素に少なくとも部分的に重なる。積層構成は、完全に重なった状態を含み、もちろん部分的に重なった状態も含む。部分的に重なった状態では、基準面に対して垂直な方向でずらした方式で少なくとも２つの要素が配列され、少なくとも２つの要素（または層構造）の間で間隙が維持されてよく、または少なくとも２つの要素は互いに接触していてもよい。
【００４９】
図１ａおよび図１ｂを参照すると、従来技術では、カメラの複数のレンズは真円レンズである。画面対本体比をできる限り高め、カメラの占有空間を縮小するように端末上にレンズが配置されると、表示パネル３０はレンズバレルに隣接してまたはさらには近接して配置され、カメラのサイズはできる限り縮小される必要がある。しかしながら、出願人の研究によれば、この設計において画面対本体比をさらに改善するための設計空間がまだ存在しており、提供される技術的解決手段が本願において開示される。図１ｃおよび図１ｄを参照すると、本願の技術的解決手段を使用した後に、表示パネル３０が移動端末の中間フレーム４２により近接し、カメラの占有空間が縮小され、その結果、画面対本体比が改善されていることが分かる。本願の技術的解決手段を開示する前に、カメラにより使用されるレンズの構造をまず説明する。図１ｅを参照すると、本願のこの実施形態の第１のレンズ２１が例として使用される。レンズ２１は通常、光学効果領域２１７と非光学効果領域２１８とを含む。カメラの撮像プロセスにおいて、光が屈折して撮像される領域が光学効果領域であり、非光学効果領域２１８は通常、光学効果領域２１７の設置位置を提供するために設定され、撮像には関与しない。
【００５０】
以下に、本願におけるカメラの技術的解決手段を説明する。
【００５１】
図１ｄを参照すると、本願の一実施形態において提供されるカメラ、および表示パネル３０は端末の同じ側に配置されている。具体的には、図２ａを参照すると、カメラは、レンズバレル１０と、カメラの光軸Ａの方向に積層方式でレンズバレル１０内に配置された複数のレンズとを含む。レンズバレル１０は、光軸Ａの方向で互いに配列されて接続されている第１のセグメント１１および第２のセグメント１２を含み、第１のセグメント１１内に含まれるレンズは第１のレンズ２１である。図２ｂを参照すると、第１のレンズ２１は、入光面２０５、出光面２０６、および入光面２０５と出光面２０６との間に接続される側面を含む。図２ｃを参照すると、側面は、接続されている第１の面２０１および第２の面２０２を含み、第１の面２０１と光軸Ａとの間の垂直距離Ｌ１は、第２の面２０２と光軸Ａとの間の垂直距離Ｌ２よりも小さい。図２ｄを参照すると、第１のセグメント１１の形状は、第１のレンズ２１の形状と一致する。図１ｃを参照すると、第１の面２０１と協働する第１のセグメント１１の一部分は表示パネル３０に隣接して配置され、第２のセグメント１２の一部分は、表示パネル３０の縁部と積層方式で配置されている。
【００５２】
第１のレンズ２１の構造が不完全な円となるように、レンズバレル１０の第１のセグメント１１内の第１のレンズ２１の第１の面２０１と光軸Ａとの間の垂直距離Ｌ１は、第２の面２０２と光軸Ａとの間の垂直距離Ｌ２よりも小さくなるように設定されている。第１のセグメント１１の形状が第１のレンズ２１の形状と一致するため、第１のセグメント１１の、第１の面２０１に対応する位置における表示パネル３０は、光軸Aにより近接して配置され得る。このようにして、カメラのサイズがさらに縮小され、カメラの占有空間が縮小される。
【００５３】
この実施形態では、第１のセグメント１１が第１のレンズ２１と一致する場合は以下のとおりであり得る。
【００５４】
１．図２ｄに示される構造が実装され得るように、第１のセグメント１１は同じ壁厚を有する。具体的には、第１のセグメント１１の外壁は、互いに接続されている第１の表面１１１および第２の表面１１２を含み、第１の表面１１１は第１の面２０１に対応し、第２の表面１１２は第２の面２０２に対応する。
【００５５】
２．第１のセグメント１１の壁厚が異なる。カメラの全体的なサイズを圧縮するために、表示パネル３０が配置された後に表示パネル３０が光軸Ａにさらにより近接し得るように、第１の面２０１に対応する第１の表面１１１における壁厚は、第２の面２０２に対応する第２の表面１１２における壁厚よりも薄い。
【００５６】
３．１または２の場合、カメラの全体的なサイズをさらに圧縮するために、第１のセグメント１１の内壁および第１のレンズ２１の側面の周囲は互いに近接して配置され、第１のセグメント１１の第１の表面１１１および表示パネル３０の端面は互いに近接して配置される。
【００５７】
４．１または２の場合、第１のセグメント１１の内壁および第１のレンズ２１の第２の面２０２は互いに近接して配置され得、第１のセグメント１１の内壁と第１の面２０１との間には間隙があり得る。間隙内には反射防止構造が配置され得る。この場合はこの後の実施形態でさらに説明される。
【００５８】
５．前述の場合に加えて、別の場合があり得る。例えば、第１の面２０１と第１のセグメント１１の内壁との間に間隙が配置され、第２の面２０２と第１のセグメント１１の内壁との間に間隙が配置される。代替的には、第１のセグメント１１の第２の面２０２に対応する第２の表面１１２における壁厚は、第１の面２０１に対応する第１の表面１１１における壁厚よりも薄いなどである。
【００５９】
この実施形態では、第１の面２０１は平面または弧面であり得、第２の面２０２は円形弧面であり、光軸Ａは、第２の面２０２の中心を通る直線である。第１のレンズ２１は凸レンズまたは凹レンズであり、光軸Ａは、凸レンズまたは凹レンズに対して垂直である。第１の面２０１が平面である場合、第１の面２０１と光軸Ａとの間の垂直距離Ｌ１は、光軸Ａを通る点と第１の面２０１の平面との間の垂直線の長さである。第１の面２０１が弧面である場合、第１の面２０１と光軸Ａとの間の垂直距離Ｌ１は、光軸Ａを通る点と、第１の面２０１に最も近接し、第１の面２０１の上にある点との間の長さである。好ましくは、図２ｅを参照すると、第１の面２０１が弧面である場合、弧面は楕円面であり、第１の面２０１の楕円面および第２の面２０２の円形弧面は互いにスムーズに遷移される。
【００６０】
図１ｅおよび図２ｃを参照すると、一実施形態では、第１のレンズ２１は、光学効果領域２１７と、光学効果領域２１７の周囲に配置された非光学効果領域２１８とを含み、第１の面２０１と光軸Ａとの間の垂直距離Ｌ１は光学効果領域２１７の半径よりも大きいまたはそれと等しい。換言すれば、本実施形態における第１のレンズ２１に配置された第１の面２０１は、非光学効果領域２１８内に位置する。非光学効果領域２１８は撮像に関与せず、撮像のための光学効果領域２１７の位置を占有しない。これにより、光の屈折路が完全であり、撮像が影響を受けないことを保証することができる。第１の面２０１と光軸Ａとの間の垂直距離Ｌ１が光学効果領域２１７の半径と等しい場合、第１の面２０１は、第１の面２０１の、光軸Ａに最も近接した位置である光学効果領域２１７の周囲に接することが理解されるべきである。
【００６１】
一実施形態では、図２ｆを参照すると、２つ以上の第１のレンズ２１が存在し、すべての第１のレンズ２１の第１の面２０１が互いに同じ高さで同一平面にある。説明し易くするために、３つのレンズ（第１のレンズ）が図２ｆにおける実施形態に示され、それぞれ、第１のレンズ２１、第２のレンズ２２、および第３のレンズ２３として印されている。第２のレンズ２２および第３のレンズ２３の構造は第１のレンズ２１のものと同様であり、第１のレンズ２１、第２のレンズ２２、および第３のレンズ２３は、同じ高さの第１の面２０１を有する。この実施形態では、第２のレンズ２２および第３のレンズ２３は異なる度合いの凹部および凸部を有し得、必要とされる光撮像および特定の設定に基づいて設定され得る。本明細書ではこれに限定されない。２つ以上の第１のレンズ２１が配置され、すべての第１のレンズ２１が互いに同じ高さで同一平面にある。したがって、第１のセグメント１１が表示パネル３０に隣接してまたはさらには近接して配置されるように、第１のレンズ２１と一致するレンズバレル１０の第１のセグメント１１の第１の表面１１１は、従来技術における段差形状の構造の代わりに、完全な表面である。
【００６２】
一実施形態では、図１ｃおよび図２ａを参照すると、レンズバレル１０は、第１のセグメント１１に接続された第２のセグメント１２をさらに含み、第１のセグメント１１と第２のセグメント１２との間の接続部は段差面１２１を形成し、段差面１２１は表示パネル３０を位置付けるように構成されている。具体的には、第１のセグメント１１の第１の表面１１１は完全な表面であり、段差面１２１もまた完全な表面である。第１の表面１１１および段差面１２１は挟角を形成し、挟角は好ましくは９０°である。表示パネル３０は通常、プレート構造である。配置の間、表示パネル３０を位置付けるために、表示パネル３０の端面は第１の表面１１１に隣接またはさらには近接しており、表示パネル３０の裏面（すなわち、ディスプレイ表面から離れた表面）は段差面１２１に隣接またはさらには近接している。
【００６３】
一実施形態では、図２ａを参照すると、レンズバレル１０内に５つのレンズが含まれており、第１のセグメント１１内に２つまたは３つの第１のレンズ２１が含まれている（図２ａには３つの第１のレンズ２１、すなわち、第１のレンズ２１、第２のレンズ２２、および第３のレンズ２３が示され、第２のセグメント１２内に２つのレンズ、すなわち、第４のレンズ２４および第５のレンズ２５が含まれている）。代替的には、レンズバレル１０内には６つのレンズが含まれ、第１のセグメント１１内には２つまたは３つの第１のレンズ２１が含まれる。代替的には、レンズバレル１０内には７つのレンズが含まれ、第１のセグメント１１内には３つまたは４つの第１のレンズ２１が含まれる。この実施形態では、カメラのレンズの数のレイアウトを説明するために一例のみが使用される。もちろん、カメラの特定の構造に応じて、別のレイアウト形態があり得る。
【００６４】
一実施形態では、図２ｆを参照すると、第１のレンズ２１の第１の面２０１は光軸Ａに対して平行である。２つ以上の第１のレンズ２１がある場合、互いに同じ高さで同一平面であるすべての第１のレンズ２１の第１の面２０１は、光軸Ａに対して平行である。第１の面２０１は光軸Ａに対して平行になるように配置され、その結果、レンズバレル１０の第１のセグメント１１がすべての第１のレンズ２１と一致した後に、第１のセグメント１１の第１の表面１１１も光軸Ａに対して平行になる。しかしながら、表示パネル３０の端面は通常、ディスプレイ表面に対して垂直な平面であり、そのため、カメラの占有空間を縮小することをさらに助けるために、表示パネル３０の端面は第１のセグメント１１の第１の表面全体１１１に隣接してまたはさらには近接して配置され得る。
【００６５】
一実施形態では、図２ｇを参照すると、第１のレンズ２１の第１の面２０１と光軸Ａとの間に挟角がある。２つ以上の第１のレンズ２１がある場合、互いに同じ高さで同一平面であるすべての第１のレンズ２１の第１の面２０１は、光軸Ａとの間に同じ挟角を有する。挟角の範囲は、１°〜１０°であり得る。そのような設定は、カメラの製造および組立を容易にすることを意図している。具体的には、第１の面２０１と光軸Ａとの間の挟角は、抜け勾配を形成するように設定されている。第１のレンズ２１およびレンズバレル１０の第１のセグメント１１が製造されるとき、鋳型は同じ挟角を有するように配置される。第１のレンズ２１およびレンズバレル１０の第１のセグメント１１が鋳型で製造された後、第１のレンズ２１およびレンズバレル１０の第１のセグメント１１は鋳型から容易に取り外される。加えて、カメラの組立の間、第１のレンズ２１は第１のセグメント１１内に容易に配置される。
【００６６】
一実施形態では、図１ｄを参照しながら図３ａおよび図３ｂを参照すると、第１のレンズ２１の側面は第３の面２０３をさらに含む。第３の面２０３は、第１の面２０１に対向して配置され、第２の面２０２は第３の面２０３と第１の面２０１との間に接続される。第３の面２０３と光軸Ａとの間の垂直距離Ｌ３は、第２の面２０２と光軸Ａとの間の垂直距離Ｌ２よりも小さい。第３の面２０３は第１の面２０１に対向して配置され、第３の面２０３もまた第１の面２０１と同様である。レンズバレル１０の第１のセグメント１１のものである、第３の面２０３と一致する第３の表面１１３と光軸Ａとの間の垂直距離が第２の表面１１２と光軸Ａとの間の垂直距離よりも小さくなるように、第３の面２０３と光軸Ａとの間の垂直距離Ｌ３は第２の面２０２と光軸Ａとの間の垂直距離Ｌ２よりも小さい。カメラのサイズをさらに圧縮し、占有空間を縮小し、その結果、表示パネル３０のサイズがさらに拡大され得るように、カメラが端末に組み立てられるとき、第３の表面１１３は中間フレーム４２に隣接してまたはさらには近接して配置される。
【００６７】
第１の面２０１と同様に、第３の面２０３と光軸Ａとの間の垂直距離Ｌ３は、光学効果領域２１７の半径よりも大きいまたはそれと等しい。２つ以上の第１のレンズ２１がある場合、すべての第１のレンズ２１の第３の面２０３は互いに同じ高さで同一平面である。第３の表面はまた、平面または弧面であり得る。
【００６８】
一実施形態では、図２ｆおよび図２ｇを参照すると、第１の面２０１および第３の面２０３は光軸Ａにおいて対称的に配置されている。図２ｆにおける実施形態に示される第１の面２０１および第３の面２０３は、点対称的に配置されてもよく、または鏡面対称的に配置されてもよい。図２ｇの実施形態に示される第１の面２０１および第３の面２０３は、鏡面対称的に配置されている。したがって、この実施形態では、製造を容易にするために、第１の面２０１の形状および第３の面２０３の形状が同じであり、第１の面２０１と光軸Ａとの間の垂直距離Ｌ１および第３の面２０３と光軸Ａとの間の垂直距離Ｌ３が同じであるように、第１の面２０１および第３の面２０３は光軸Ａにおいて対称的に配置されている。
【００６９】
カメラの撮像プロセスにおいて、フレア（ｆｌａｒｅ）現象が生じることが多い。研究の後、前述の問題は主に、光学レンズの非光学効果領域２１８内の光が光学効果領域２１７に進入した後に引き起こされる。このフレア現象を回避するために、本願はいくつかの実施形態を提供する。
【００７０】
一実施形態では、図４ａを参照すると、第１のセグメント１１の内壁に第１の遮光フィルム１２４が配置される。一実施形態では、第１の遮光フィルム１２４は、第１のレンズ２１の第１の面２０１に隣接して配置される。別の実施形態では、第１の遮光フィルム１２４は、第１のレンズ２１の第１の面２０１および第３の面２０３に隣接して配置される。非光学効果領域２１８は撮像に関与しないものの、光が光学効果領域２１８を通ると、光学効果領域２１７内の光もある程度干渉される。したがって、第１の遮光フィルム１２４は第１のセグメント１１の内壁に配置され、第１の遮光フィルム１２４は遮光して、第１の面２０１および／または第３の面２０３上の光学効果領域２１７上の非光学効果領域２１８における光の影響を低減し、光撮像効果を改善することができる。
【００７１】
具体的には、第１の遮光フィルム１２４は、第１のセグメント１１の内壁にコーティングされたコーティング、例えば、コーティング処理を使用することによってコーティングされた黒いコーティング、またはペースト処理を使用することによってペーストされたフィルム層構造、または電気めっき処理を使用することによって作製されたフィルム層構造などであり得る。２つ以上の第１のレンズ２１がある場合、第１のセグメント１１の内壁に配置された第１の遮光フィルム１２４は、すべての第１のレンズ２１の第１の面２０１および／または第３の面２０３の位置を覆う。もちろん、第１の遮光フィルム１２４は、第１のセグメント１１のすべての内壁を完全に覆い得る。
【００７２】
一実施形態では、図４ｂを参照すると、すべての第１のレンズ２１の第１の面２０１および／または第３の面２０３に第２の遮光フィルム２１３が配置される。一実施形態では、第２の遮光フィルム２１３は第１のレンズ２１の第１の面２０１に配置される。別の実施形態では、第２の遮光フィルム２１３は第１のレンズ２１の第１の面２０１および第３の面２０３に配置される。複数の第１のレンズ２１がある場合、説明し易くするために、第１のレンズ２１と同様の図４ｂに示される３つのレンズの実施形態では、第２の遮光フィルム２２３はまた、第２のレンズ２２の第１の面２０１および／または第３の面２０３に配置される。第２の遮光フィルム２３３はまた、第３のレンズ２３の第１の面２０１および／または第３の面２０３に配置される。この実施形態では、第２の遮光フィルム２１３は第１のレンズ２１に配置され、第２の遮光フィルム２１３の機能は、第１の遮光フィルム２１４が第１のセグメント１１の内壁に配置されている前述の実施形態のものと同様である。この実施形態では、第２の遮光フィルム２１３が第１のレンズ２１に配置される点で異なっている。第１のセグメント１１の内壁上に第１の遮光フィルム２１４を製造することと比較して、第２の遮光フィルム２１３は、第１のレンズ２１条にのみ製造する必要があるため、第２の遮光フィルム２１３の数を減らしてコストを削減することができる。第１のレンズ２１上に第２の遮光フィルム２１３を製造するプロセスは、第１の遮光フィルム２１４を製造するプロセスと同様であり、第１の遮光フィルム２１４を製造するプロセスを参照してよい。
【００７３】
一実施形態では、図２ｃ、図２ｆ、および図３ａを参照すると、すべての第１のレンズ２１の第１の面２０１および／または第３の面２０３の表面粗さは、第２の面２０２の表面粗さよりも高い。具体的には、図２ｃの実施形態では、第１のレンズ２１の第１の面２０１の表面粗さは、第２の面２０２の表面粗さよりも高い。図３ａの実施形態では、第１のレンズ２１の第１の面２０１および第３の面２０３の表面粗さは、第２の面２０２の表面粗さよりも高い。第１のレンズ２１は通常、ガラス材料または樹脂材料から作製されるため、第１のレンズ２１の表面の粗さが改善されて曇りガラスと同様の構造を形成して、遮光効果が達成される。したがって、この実施形態では、遮光効果を達成するために、第１のレンズ２１の第１の面２０１および／または第３の面２０３の表面粗さは、第２の面２０２の表面粗さよりも高く配置されている。
【００７４】
カメラの占有空間をさらに縮小するために、一実施形態では、図２ｃまたは図３ａを参照しながら図４ｃを参照すると、第１のセグメント１１は、二種材料射出成形プロセスを使用することによって作製され、第１の面２０１および／または第３の面２０３に対向する第１のセグメント１１の位置は可撓性材料１３で作製され、第２の面２０２に対向する第１のセグメント１１の位置は剛性材料で作製され、可撓性材料１３は弾性である。
【００７５】
この実施形態では、第１のセグメント１１の剛性材料の一部は第１のレンズ２１を支持するために使用され、可撓性材料１３の一部は弾性であり、弾性的に伸縮自在であり得、そのため、可撓性材料１３の一部は、レンズバレル１０の第１のセグメント１１の占有空間をさらに縮小するために、第１のレンズ２１にしっかり取り付けられ得る。加えて、可撓性材料１３は、第１のレンズ２１に遮光機能を提供するために、遮光フィルムであってもよい。
【００７６】
この実施形態では、第１のセグメント１１の可撓性材料１３に緩衝材がさらに配置される。緩衝材は、発泡体などの構造であり得る。端末が落下すると、端末の落下の効果を発泡体が軽減して、カメラが表示パネル３０または中間フレーム４２と衝突して損傷を引き起こすことを防止する。
【００７７】
図２ｃまたは図３ａを参照しながら図５を参照すると、本願のこの実施形態における第１のレンズ２１の製造プロセスは、切断プロセスであり得る。真円状の第１のレンズ２１がまず提供されてよく、第１の面２０１および／または第３の面２０３は切断によって得られる。切欠き部は２１５で印される。レンズバレル１０の第１のセグメント１１は、第１のレンズ２１と一致する形状を形成するために、鋳造プロセスを使用することによって作製され得る。円状の第１のセグメント１１と比較して、この実施形態の第１のセグメント１１は切断によって得られる。切欠き部は図５において１１５で印される。最終的に形成された第１のレンズ２１は、撮像領域８０を含む。撮像領域８０は、カメラの後方に配置されたＣＣＤまたはＣＭＯＳの画像センサの形状に対応し、通常は矩形である。
【００７８】
図６ａ〜図６ｄを参照すると、本願の一実施形態はさらに、表示パネル３０と、中間フレーム４２と、本願の様々な実施形態に記載のカメラとを含む端末を提供する。表示パネル３０は、中間フレーム４２によって囲まれた空間内に配置される。カメラおよび表示パネル３０は同じ側に配置され、カメラのレンズバレル１０の第１のセグメント１１は、表示パネル３０に隣接して配置される。
【００７９】
この実施形態では、表示パネル３０は、レンズバレル１０の第１のセグメント１１に隣接して配置される。第１のセグメント１１は第１のレンズ２１の形状と一致し、第１のレンズ２１の第１の面２０１と光軸Ａとの間の垂直距離Ｌ１は第２の面２０２と光軸Ａとの間の垂直距離Ｌ２よりも小さいため、カメラの第１のセグメント１１のサイズが縮小され、表示パネル３０は中間フレーム４２により近接して配置され得る。このようにして、端末上での表示パネル３０の面積占有率（画面対本体比）が高まり、狭額およびベゼルレス画面の構造設計の実装が容易になる。
【００８０】
一実施形態では、図６ｂを参照すると、カメラのレンズバレル１０の第２のセグメント１２は中間フレーム４２に隣接して配置され、第１のセグメント１１と中間フレーム４２との間に第１の間隙４５が存在する。好ましくは、第２のセグメント１２および中間フレーム４２は互いに近接して配置される。この実施形態では、第２のセグメント１２は中間フレーム４２に隣接してまたはさらには近接して配置され、その結果、カメラ全体が中間フレーム４２により近接し、表示パネル３０は中間フレーム４２により近接して配置され得る。これにより、表示パネル３０の画面対本体比の改善が助けられる。
【００８１】
一実施形態では、図６ｂおよび図６ｃを参照すると、フィラー５１が第１の間隙４５内に配置され、フィラー５１は第１のセグメント１１を支持するように構成されている。この実施形態では、フィラー５１は、第１のセグメント１１が予め設定された位置に保たれるように、第１のセグメント１１を支持するように配置され得る。加えて、フィラー５１は緩衝機能をさらに有し得る。端末が落下すると、強い衝撃を回避し、カメラの損傷を回避するために、第１のセグメント１１がフィラー５１によって支持される。フィラー５１はまた、発泡体などであってもよい。
【００８２】
図６ｂおよび図６ｄを参照すると、中間フレーム４２にばね５３が配置され、ばね５３は、第１のセグメント１１に対して当接している。この実施形態では、ばね５３もまた第１のセグメント１１を支持するように構成され得る。端末が落下すると、第１のセグメント１１に対する端末の落下の効果を軽減するために、ばね５３は弾性的に変形する。加えて、ばね５３はさらに電気接続機能を提供し得る。具体的には、ばね５３は、画像センサがカメラ上の静電気の蓄積により影響されることを防止するために、カメラ上の静電気を中間フレームに接続して静電気を除去し得る。
【００８３】
図６ａ〜図６ｄにおいて、端末上に保護パネル４１がさらに配置される。好ましくは、保護パネル４１はガラスであり、良好な透過性、強度、および剛性を有する。
【００８４】
本願のこの実施形態における端末は、移動端末、例えば、スマートフォン、タブレットコンピュータ、モバイルアシスタント、またはポータブルノートブックコンピュータであってもよく、またはもちろん、固定端末、例えば、自動金銭出納機またはディスプレイであってもよい。図１ｂおよび図１ｄに示されるスマートフォンの実施形態では、本願の実施形態における技術的解決手段を使用することによって、カメラのサイズが縮小された後、スマートフォンの表示パネル３０の画面対本体比が顕著に高まり、狭額およびベゼルレス画面の効果がより良好である。
【００８５】
本願の実施形態において提供されるカメラおよび端末は、上に詳細に説明されている。本願の原理および実施形態は具体例を通して本明細書で説明されている。本願の実施形態に関する説明は、単に、本願の方法および核となる概念の理解を助けるために提供される。加えて、当業者は、本願の概念による具体的な実施形態および適用の範囲の観点で、本願に変形および修正をなすことができる。したがって、本明細書の内容は本願を限定するものとして解されるべきではない。
他の考えられる項目
［項目１］
端末上で表示パネルと同じ側に配置されたカメラであって、上記カメラが、レンズバレルと、上記カメラの光軸の方向に積層方式で上記レンズバレル内に配置された複数のレンズとを備え、上記レンズバレルが、上記光軸の上記方向で互いに配列されて接続されている第１のセグメントおよび第２のセグメントを含み、上記第１のセグメント内に含まれるレンズが第１のレンズであり、上記第１のレンズが、入光面、出光面、および上記入光面と上記出光面との間に接続される側面を含み、上記側面が、接続されている第１の面および第２の面を含み、上記第１の面と上記光軸との間の垂直距離が、上記第２の面と上記光軸との間の垂直距離よりも小さく、上記第１のセグメントの形状が上記第１のレンズの形状と一致し、上記第１の面と協働する上記第１のセグメントの一部分が上記表示パネルに隣接して配置され、上記第２のセグメントの一部分が、上記表示パネルの縁部と積層方式で配置されている、カメラ。
［項目２］
上記第１のレンズが、光学効果領域と、上記光学効果領域の周囲に配置された非光学効果領域とを含み、上記第１の面と上記光軸との間の垂直距離が光学効果領域の半径よりも大きいまたはそれと等しい、項目１に記載のカメラ。
［項目３］
２つ以上の第１のレンズが存在し、すべての上記第１のレンズの上記第１の面が互いに同じ高さで同一平面にある、項目２に記載のカメラ。
［項目４］
上記側面が第３の面をさらに含み、上記第３の面が上記第１の面に対向して配置され、上記第２の面が上記第３の面と上記第１の面との間に接続され、上記第３の面と上記光軸との間の垂直距離が、上記第２の面と上記光軸との間の垂直距離よりも小さい、項目３に記載のカメラ。
［項目５］
上記第１の面および上記第３の面が上記光軸において対称的に配置されている、項目４に記載のカメラ。
［項目６］
上記第１のセグメントの内壁に第１の遮光フィルムが配置され、上記第１の遮光フィルムが、上記第１のレンズの上記第１の面および／または上記第３の面に隣接して配置されている、項目１から５のいずれか一項に記載のカメラ。
［項目７］
すべての上記第１のレンズの上記第１の面および／または上記第３の面に第２の遮光フィルムが配置さている、項目１から６のいずれか一項に記載のカメラ。
［項目８］
すべての上記第１のレンズの上記第１の面および／または上記第３の面の表面粗さが、上記第２の面の表面粗さよりも高い、項目１から７のいずれか一項に記載のカメラ。
［項目９］
上記第１の面および／または上記第３の面に対向する、上記第１のセグメントの位置が可撓性材料で作製され、上記第２の面に対向する上記第１のセグメントの位置が剛性材料で作製され、上記可撓性材料が弾性である、項目１から８のいずれか一項に記載のカメラ。
［項目１０］
上記第１のセグメントの上記可撓性材料に緩衝材がさらに配置されている、項目９に記載のカメラ。
［項目１１］
上記第１のセグメントと上記第２のセグメントとの間の接続部が段差面を形成し、上記段差面が、上記表示パネルを位置付けるように構成されている、項目１に記載のカメラ。
［項目１２］
表示パネルと、中間フレームと、項目１から１１のいずれか一項に記載のカメラとを備える端末であって、上記表示パネルが上記中間フレームによって囲まれた空間に配置され、上記カメラおよび上記表示パネルが同じ側に配置され、上記カメラのレンズバレルの第１のセグメントが上記表示パネルに隣接して配置されている、端末。
［項目１３］
上記カメラの上記レンズバレルの第２のセグメントが上記中間フレームに隣接して配置され、上記第１のセグメントと上記中間フレームとの間に第１の間隙が存在する、項目１２に記載の端末。
［項目１４］
上記第１の間隙にフィラーが配置され、上記フィラーが、上記第１のセグメントを支持するように構成されている、項目１３に記載の端末。
［項目１５］
上記中間フレームにばねが配置され、上記ばねが、上記第１のセグメントに対して当接している、項目１３に記載の端末。
【図１ａ】
2022501631.tif 000003
【図１ｂ】
2022501631.tif 000004
【図１ｃ】
2022501631.tif 000005
【図１ｄ】
2022501631.tif 000006
【図１ｅ】
2022501631.tif 000007
【図２ａ】
2022501631.tif 000008
【図２ｂ】
2022501631.tif 000009
【図２ｃ】
2022501631.tif 000010
【図２ｄ】
2022501631.tif 000011
【図２ｅ】
2022501631.tif 000012
【図２ｆ】
2022501631.tif 000013
【図２ｇ】
2022501631.tif 000014
【図３ａ】
2022501631.tif 000015
【図３ｂ】
2022501631.tif 000016
【図４ａ】
2022501631.tif 000017
【図４ｂ】
2022501631.tif 000018
【図４ｃ】
2022501631.tif 000019
【図５】
2022501631.tif 000020
【図６ａ】
2022501631.tif 000021
【図６ｂ】
2022501631.tif 000022
【図６ｃ】
2022501631.tif 000023
【図６ｄ】
2022501631.tif 000024
【国際調査報告】
2022501631.tif 000025
2022501631.tif 000026
2022501631.tif 000027
2022501631.tif 000028
2022501631.tif 000029